(57)【要約】【課題】子供たちが再利用できるような変形が可能な構造を備えたブーツ型収納容器を提供する。【解決手段】本ブーツ型収納容器は、台紙と、半袖上着服と、複数の留め具とからなり、前記台紙を前記半袖上着服の袖と胴部に挿入させ、前記半袖上着服を前記台紙に沿って畳み込ませ、全体をＬ字型のブーツ形状とさせ、前記留め具を用いてブーツ形状を保持させたことを特徴とする。このような構成とすることで、ブーツ型収納容器の使用後、変形して子供用や婦人用の上着服として利用することが可能となる。【選択図】図１
2007331821.tif 000002
【特許請求の範囲】
【請求項１】
台紙と、半袖上着服と、複数の留め具とからなり、前記台紙を前記半袖上着服の袖と胴部に挿入させ、前記半袖上着服を前記台紙に沿って畳み込ませ、全体をＬ字型のブーツ形状とさせ、前記留め具を用いてブーツ形状を保持させたことを特徴とするブーツ型収納容器。
【請求項２】
台紙と、長袖上着服と、複数の留め具とからなり、該台紙を前記長袖上着服の袖と胴部に挿入させ、前記長袖上着服の袖部を内側に折り畳ませ、かつ、前記長袖上着服を前記台紙に沿って畳み込ませ、全体をＬ字型のブーツ形状とさせ、前記留め具を用いてブーツ形状を保持させたことを特徴とするブーツ型収納容器。
【請求項３】
台紙と、袖付の背もたれカバーと、複数の留め具とからなり、前記台紙を前記背もたれカバーの袖と胴部に挿入させ、前記背もたれカバーを前記台紙に沿って畳み込ませ、全体をＬ字型のブーツ形状とさせ、前記留め具を用いてブーツ形状を保持させたことを特徴とするブーツ型収納容器。
【請求項４】
請求項３に記載の背もたれカバーが、マジックテープ（登録商標）によって脱着可能に結合されるクッション部を備え、前記クッション部に２本のマジックテープ（登録商標）が設けられていることを特徴とするブーツ型収納容器。
【請求項５】
前記台紙がＬ型形状，Ｔ型形状，若しくは略円筒形状のいずれかであることを特徴とする請求項１乃至３のいずれかのブーツ型収納容器。
【請求項６】
請求項１乃至４のいずれかのブーツ型収納容器のＬ字形状の長手方向の略円筒内部に菓子等のプレゼント用小物を詰め込んだことを特徴とするブーツ型収納容器。
【請求項７】
台紙を半袖上着服の袖部と胴部に挿入する工程と、前記半袖上着服を対象軸に沿って折り畳む工程と、前記半袖上着服の袖部を重ねた部分をブーツの足部とみなし、前記半袖上着服の胴部を重ねた部分をブーツの脚部とみなして、ブーツ形状が保持できるように留め具で固定する工程と、ブーツの開口部から菓子等のプレゼント用小物を詰め込む工程と、からなることを特徴とするプレゼント包装方法。
【請求項８】
台紙を長袖上着服の袖部と胴部に挿入する工程と、前記長袖上着服の袖部を内側に折り畳む工程と、前記長袖上着服を対象軸に沿って折り畳む工程と、前記長袖上着服の袖部を重ねた部分をブーツの足部とみなし、前記長袖上着服の胴部を重ねた部分をブーツの脚部とみなして、ブーツ形状が保持できるように留め具で固定する工程と、ブーツの開口部から菓子等のプレゼント用小物を詰め込む工程と、からなることを特徴とするプレゼント包装方法。
【請求項９】
台紙を袖付の背もたれカバーの袖部と胴部に挿入する工程と、前記背もたれカバーを対象線に沿って折り畳む工程と、前記背もたれカバーの袖部を重ねた部分をブーツの足部とみなし、前記背もたれカバーの胴部を重ねた部分をブーツの脚部とみなして、ブーツ形状が保持できるように留め具で固定する工程と、ブーツの開口部から菓子等のプレゼント用小物を詰め込む工程と、からなることを特徴とするプレゼント包装方法。
【請求項１０】
前記台紙がＬ型形状，Ｔ型形状，若しくは略円筒形状のいずれかであることを特徴とする請求項７乃至９のいずれかのプレゼント包装方法。
【発明の詳細な説明】
【技術分野】
【０００１】
本発明は、クリスマス用小物などの再利用可能なブーツ型収納容器とプレゼント包装方法に関するものである。
【背景技術】
【０００２】
従来から、クリスマスのプレゼントを入れる容器として、サンタクロースのブーツ形状の容器が多用されている。クリスマスシーズンにはお菓子を詰め込んだ多数のサンタクロースのブーツ形状の容器が店頭に陳列される。子供たちは、このサンタクロースのブーツ形状の容器に入ったものについて、ブーツの中身のプレゼントの購買意欲ではなく、ブーツそのものの形状、模様に惹かれて購買意欲を掻き立てられる。
【０００３】
しかし、クリスマスシーズン時に購入した後、クリスマスシーズンが過ぎると、このブーツ形状の容器は再利用されることなく、廃却されるのが通常である。この資源の無駄使いを回避するため、クリスマスプレゼント収納用ブーツ型容器の一部（具体的には足部）を貯金箱として利用したり、同じく容器の他の一部（脚部）をバケツなどに利用したり、同じく容器の袋体をナップザックとして利用したりすることが考案されている（例えば、特許文献１を参照。）。
【０００４】
【特許文献１】実登３０６７２７８号公報
【発明の開示】
【発明が解決しようとする課題】
【０００５】
上述したように従来のクリスマスプレゼント収納用ブーツ型容器は、再利用する途はその形状から少ない選択肢に限られていた。
本発明が解決しようとする課題は、従来のブーツ型収納容器と異なり、子供たちが再利用できるような変形が可能な構造を備えたブーツ型収納容器を提供することである。また、併せて、クリスマスなどのプレゼント包装方法を提供することを目的とする。
【課題を解決するための手段】
【０００６】
本発明者は、ブーツ型収納容器の形状の様々な検討を行い、特にブーツ型収納容器の使用後、変形して子供用や婦人用の上着服として利用することが可能となるよう試作・改良を重ねた上で、本発明を完成したものである。
上記目的を達成するために、本発明に係る組立てブーツ型収納容器などは、以下の構成を備えるものである。
【０００７】
本発明に係る第１の観点のブーツ型収納容器は、上記課題を達成すべく、台紙と、半袖上着服と、複数の留め具とからなり、前記台紙を前記半袖上着服の袖と胴部に挿入させ、前記半袖上着服を前記台紙に沿って畳み込ませ、全体をＬ字型のブーツ形状とさせ、前記留め具を用いてブーツ形状を保持させたことを特徴とする。
上記の構成とすることで、ブーツ型収納容器の使用後、変形して子供用や婦人用の上着服として利用することが可能となる。
【０００８】
ここで台紙は、全体をＬ字型のブーツ形状とするための型材である。子供服や婦人服の上着服は素材が柔らかいものが多く、そのまま折り畳んだのでは、ブーツ形状を保持させるのが困難であり、台紙を上着服の袖と胴部に挿入させるのである。
【０００９】
また留め具は、上着服が展開しないように、上着服の縁を重ねた部分を留め、全体をＬ字型のブーツ形状に保持するものである。この留め具を取り付ける位置としては、少なくともブーツ形状の靴底部とつま先部と脛部に取り付ける。
留め具としては、バネクリップが好ましい。この他の留め方として、ボタンで留めたり、マジックテープ（登録商標）で結合させたりすることができる。
【００１０】
また、本発明に係る第２の観点のブーツ型収納容器は、台紙と、長袖上着服と、複数の留め具とからなり、該台紙を前記長袖上着服の袖と胴部に挿入させ、前記長袖上着服の袖部を内側に折り畳ませ、かつ、前記長袖上着服を前記台紙に沿って畳み込ませ、全体をＬ字型のブーツ形状とさせ、前記留め具を用いてブーツ形状を保持させたことを特徴とする。
第２の観点のブーツ型収納容器は、上記第１の観点のブーツ型収納容器と異なり、長袖の上着服を用いる。日本では、クリスマスシーズンは季節が冬であるため、長袖上着服をブーツ型収納容器の構成要素とするのが適当である。長袖上着服の袖部を内側に折り畳ませ、かつ、長袖上着服を台紙に沿って畳み込ませることで、上記第１の観点のブーツ型収納容器と同様に、ブーツ形状とすることが可能となるのである。
【００１１】
また、本発明に係る第３の観点のブーツ型収納容器は、台紙と、袖付の背もたれカバーと、複数の留め具とからなり、前記台紙を前記背もたれカバーの袖と胴部に挿入させ、前記背もたれカバーを前記台紙に沿って畳み込ませ、全体をＬ字型のブーツ形状とさせ、前記留め具を用いてブーツ形状を保持させたことを特徴とする。
第３の観点のブーツ型収納容器は、上記第１の観点のブーツ型収納容器と異なり、袖付の背もたれカバーを用いる。ブーツ型収納容器を展開して、学習机の椅子の背もたれカバーとして再利用するものである。ここで、袖付の背もたれカバーを用いるのは、畳み込ませた場合に、袖部がブーツのつま先部の形状となるからである。
【００１２】
また、上記第３の観点の組立てブーツ型収納容器には、マジックテープ（登録商標）によって脱着可能に結合されるクッション部を備え、前記クッション部に２本のマジックテープ（登録商標）が設けられていることが好ましい。
クッション部に２本のマジックテープ（登録商標）が設けられている理由は、背もたれカバーにクッション部を取り付ける位置と、ブーツ型容器にクッション部を取り付ける位置が異なるためである。詳細は以下の実施例を説明する。
【００１３】
ここで、上記の台紙は、Ｌ型形状，Ｔ型形状，若しくは略円筒形状のいずれかであることが好ましい。台紙に沿って折り畳んだ場合に、Ｌ字型のブーツ形状となるからである。なお、Ｌ型形状の長手方向やＴ型形状の長手方向に略円筒形状を設けてもよい。立体的なブーツ形状を容易に保持することが可能となるからである。
【００１４】
また、これらのブーツ型収納容器は、容器自身のＬ字形状の長手方向の略円筒内部に菓子等のプレゼント用小物を詰め込むことが好ましい。クリスマスシーズンなどで菓子を詰め込んだ多数のサンタクロースのブーツ形状の容器が店頭に陳列される商慣習を踏襲するものである。
【００１５】
次に、本発明に係る第１の観点のプレゼント包装方法は、台紙を半袖上着服の袖部と胴部に挿入する工程と、前記半袖上着服を対象軸に沿って折り畳む工程と、前記半袖上着服の袖部を重ねた部分をブーツの足部とみなし、前記半袖上着服の胴部を重ねた部分をブーツの脚部とみなして、ブーツ形状が保持できるように留め具で固定する工程と、ブーツの開口部から菓子等のプレゼント用小物を詰め込む工程と、からなることを特徴とする。
【００１６】
また、本発明に係る第２の観点のプレゼント包装方法は、台紙を長袖上着服の袖部と胴部に挿入する工程と、前記長袖上着服の袖部を内側に折り畳む工程と、前記長袖上着服を対象軸に沿って折り畳む工程と、前記長袖上着服の袖部を重ねた部分をブーツの足部とみなし、前記長袖上着服の胴部を重ねた部分をブーツの脚部とみなして、ブーツ形状が保持できるように留め具で固定する工程と、ブーツの開口部から菓子等のプレゼント用小物を詰め込む工程と、からなることを特徴とする。
【００１７】
また、本発明に係る第３の観点のプレゼント包装方法は、台紙を袖付の背もたれカバーの袖部と胴部に挿入する工程と、前記背もたれカバーを対象線に沿って折り畳む工程と、前記背もたれカバーの袖部を重ねた部分をブーツの足部とみなし、前記背もたれカバーの胴部を重ねた部分をブーツの脚部とみなして、ブーツ形状が保持できるように留め具で固定する工程と、ブーツの開口部から菓子等のプレゼント用小物を詰め込む工程と、からなることを特徴とする。
【００１８】
これらのプレゼント包装方法において、台紙は、Ｌ型形状，Ｔ型形状，若しくは略円筒形状のいずれかであることが好ましい。台紙に沿って折り畳んだ場合に、Ｌ字型のブーツ形状となるからである。
【発明の効果】
【００１９】
本発明に係るブーツ型収納容器およびプレゼント包装方法は、上記の通り構成されているので、次に記載する効果を奏する。
本発明に係るブーツ型収納容器およびプレゼント包装方法によれば、プレゼント収納用ブーツ型容器として使用後、留め具を外して容器を展開すれば、子供用や婦人用の上着服に戻り容器として使用後も継続して利用できる。このためブーツ型容器を廃却しないで済み、資源の無駄使いを回避することができるといった効果がある。
子供たちにとっては、クリスマスのプレゼントとして、お菓子入りのブーツをもらった喜びと、そのブーツの留め具を外して展開すると自分用の上着服となっていたという喜びと、２度楽しい思いを感じることができるといった効果がある。
【００２０】
また、本発明に係るブーツ型収納容器およびプレゼント包装方法によれば、ブーツ型容器の装飾はそのまま使用後の子供用や婦人用の上着服の装飾となるため、ブーツ型容器の模様・柄にコストをかけたとしても、それは服の模様・柄となり無駄になるということはない。
【００２１】
さらに、本発明に係るブーツ型収納容器およびプレゼント包装方法は、従来知られておらず、本年度からのクリスマスシーズンに投入することで、従来比類のない商品需要を構築することが期待できる。
【発明を実施するための最良の形態】
【００２２】
以下、本発明の一実施例を図面に基づいて説明する。
【実施例１】
【００２３】
図１は、本発明に係るブーツ型収納容器の概略図である。ブーツ型収納容器１は、台紙２と、半袖上着服（符番は図示していない）と、複数の留め具（３１〜３４）とからなり、台紙２と留め具により、全体をＬ字型のブーツ形状に保持している。ブーツ型収納容器１は、本来のブーツと同様に、図の上方部が開口しており、菓子や文具品などの小物を詰め込めるようになっている。
台紙２は厚紙で作られており、また留め具（３１〜３４）はクリップ挟みを用いている。
【００２４】
次に、図２は、本発明に係るプレゼント包装方法の手順を図示している。図２（Ａ）は、子供用または婦人服の半袖上着服４をひろげた概略形状を示している。ここで、上着服は丸首でもＶネックでも襟付きでもかまわない。また、前ボタンのブラウスでもよい。全体のＴ字形状から極端にはみ出す部分が上着服にある場合は、はみ出す部分を折り畳んでＴ字形状となるようにする。
図２（Ｂ）は台紙２の形状を示している。
図２（Ｃ）は、台紙２を半袖上着服４の袖部と胴部に挿入した様子を示している。台紙２を挿入した後、半袖上着服４を対象軸に沿って折り畳む（丁度、台紙２に沿って折り畳める）。
図２（Ｄ）は、半袖上着服４を対象軸に沿って折り畳んだものの概観図である。
【００２５】
そして、半袖上着服４の袖部を重ねた部分をブーツの足部とみなし、半袖上着服４の胴部を重ねた部分をブーツの脚部とみなして、ブーツ形状が保持できるように留め具で固定したものが、前述の図１のブーツ型収納容器の概略図となる。
最後に、ブーツ型収納容器の上方の開口部から菓子等のプレゼント用小物を詰め込むのである。
【００２６】
図３はブーツ型収納容器を構成する各種の台紙の形状を例示している。（ａ）Ｌ字型、（ｂ）Ｔ字型、（ｃ）円筒部分を有するＬ字型の台紙の形状を示している。今までの説明はＬ字型の台紙を例に挙げて説明したが、上着服のシルエット形状に似たＴ字型の台紙を用いてもよい。この場合は、Ｔ字型の対称軸に折り目を設けて、上着服を畳み込みし易くする。また、円筒部分を有するＬ字型の台紙の形状（Ｃ）を用いた場合は、ブーツ型収納容器の収納部分に円筒部分の台紙がくるため、菓子等の小物を入れやすく、また、ブーツ形状を立体的に保持しやすくなる。
【実施例２】
【００２７】
次に、背もたれカバーとして再利用できるブーツ型収納容器を説明する。
基本的には、実施例１で説明した上着服として再利用できるブーツ型収納容器と同様である。違いとしては、首を通す部分がないのと、使用する生地素材が上着服に比べて分厚くなるという点である。使用する生地素材が上着服に比べて分厚いものを用いた場合、折り畳んだときに、台紙を用いなくても、ブーツ形状を保持できる場合がある。
【００２８】
次に、背もたれカバーとして、より快適にクッション性を持たせるために、クッション部を取り付けする場合について図４を参照しながら説明する。図４は、ブーツ型収納容器を展開した背もたれカバーとクッション部を結合するマジックテープ（登録商標）の位置関係を示したものである。
図４（１）は、袖付の背もたれカバーの概観図を示している。また、図４（２）はクッション部の一例を示している。図４（２）は円形状のクッション部を示しているが、形状は任意の形状が可能である。例えば、キャラクターの顔の形状にしてもよい。
これらの袖付の背もたれカバーとクッション部には、図示するようにマジックテープ（登録商標）が設けられている。特徴的な部分は、クッション部に２本平行にマジックテープ（登録商標）が設けられているところである。この２本の平行なマジックテープ（登録商標）の意味については以下で述べる。
【００２９】
図４（３）は、袖付の背もたれカバーに円形状のクッション部がとりつけられている様子を示している。図４（３）で示されるように、袖付の背もたれカバーのマジックテープ（登録商標）５１とクッション部のマジックテープ（登録商標）５３が結合されている。これは、背もたれカバーのクッション部として、背もたれカバーの上縁部分に取り付ける場合は、マジックテープ（登録商標）５３を用いて、袖付の背もたれカバーのマジックテープ（登録商標）５１と結合させる。これにより、丁度、頚椎部分がクッション部にあたることになる。
また、反対に背もたれカバーのクッション部として、背もたれカバーの中心部分に取り付ける場合は、マジックテープ（登録商標）５２を用いて、袖付の背もたれカバーのマジックテープ（登録商標）５１と結合させる。これにより、背骨部分がクッション部にあたることになる。
このように、クッション部に２本の平行なマジックテープ（登録商標）が設けられていることで、背もたれカバーの利用者の好みに応じて、クッション部の位置を調整することが可能となる。
【００３０】
図４（４）（５）は、ブーツ型収納容器とした場合にクッション部を取り付ける位置を示すものである。ブーツ型収納容器となった場合には、中身の小物がよく見えるように、ブーツの開口部はふさがない方がよい。このため、ブーツ型収納容器のマジックテープ（登録商標）５４と円形状のクッション部のマジックテープ（登録商標）５２とを結合させる。
このクッション部は前述したように、キャラクターの顔の形状にしてもよく、ブーツ型収納容器のデザインとしても好適である。
【産業上の利用可能性】
【００３１】
本発明に係るブーツ型収納容器は、クリスマスなどのプレゼント収納用ブーツ型容器として利用できる。
【図面の簡単な説明】
【００３２】
【図１】本発明に係るブーツ型収納容器の概略図である。
【図２】本発明に係るプレゼント包装方法の手順を図示している。
【図３】台紙の形状で、（ａ）Ｌ字型、（ｂ）Ｔ字型、（ｃ）円筒部分を有するＬ字型を示している。
【図４】ブーツ型収納容器を展開した背もたれカバーとクッション部を結合するマジックテープ（登録商標）の位置関係を示したものである。
【符号の説明】
【００３３】
１    ブーツ型収納容器
２    台紙
３１，３２，３３，３４    留め具
４    上着服
５１，５４    マジックテープ（登録商標）（ブーツ型収納容器側）
５２，５３    マジックテープ（登録商標）（円形クッション側）
【図１】
2007331821.tif 000003
【図２】
2007331821.tif 000004
【図３】
2007331821.tif 000005
【図４】
2007331821.tif 000006